(57)【特許請求の範囲】
【請求項１】
記録媒体の状態を告知する記録媒体状態告知装置であって、
前記記録媒体の情報に応じた情報告知を行う情報告知手段と、
前記記録媒体の情報を取得し、この取得した情報に応じて前記情報告知手段による情報告知を制御する情報取得制御手段と、
電源のオン／オフを監視し、前記電源がオフのとき、前記情報取得制御手段に対し、前記記録媒体の情報の取得と、前記情報告知手段に対する情報告知の制御を指示する電源監視手段とを備え、
前記情報取得制御手段は、前記情報告知手段に対し、前記記録媒体の情報の保存時間情報により、最後にバックアップをした日付が現在より何日前であったかを点滅の周期を変えて告知するように制御する
ことを特徴とする記録媒体状態告知装置。
【請求項２】
前記電源監視手段は、前記記録媒体の装着の有無を監視し、前記記録媒体が装着されたことを検知すると、前記情報取得手段に対しての指示を実行することを特徴とする請求項１に記載の記録媒体状態告知装置。
【請求項３】
前記情報取得制御手段は、前記情報告知手段に対し、前記記録媒体の装着の有無とフォーマットの有無とを点灯によって告知するように制御することを特徴とする請求項２に記載の記録媒体状態告知装置。
【請求項４】
前記情報取得制御手段は、前記情報告知手段に対し、前記記録媒体の容量が十分である場合に点灯によって告知するように制御し、前記記録媒体の容量が少ない場合に点滅によって告知するように制御することを特徴とする請求項１〜３のいずれかに記載の記録媒体状態告知装置。
【請求項５】
前記情報取得制御手段は、前記情報告知手段に対し、前記記録媒体の残容量から記録可能な容量を点滅の周期を変えて告知するように制御することを特徴とする請求項１〜４のいずれかに記載の記録媒体状態告知装置。
【請求項６】
前記記録可能な容量は、撮影可能な枚数に相当することを特徴とする請求項５に記載の記録媒体状態告知装置。
【請求項７】
前記情報告知手段は、発光ダイオードであり、
前記情報取得制御手段は、前記情報告知の制御を前記発光ダイオードの発光色を含めて実行する
ことを特徴とする請求項１〜６のいずれかに記載の記録媒体状態告知装置。
【請求項８】
前記記録媒体は、メモリカードであることを特徴とする請求項１〜７のいずれかに記載の記録媒体状態告知装置。
【請求項９】
請求項１〜８のいずれかに記載の記録媒体状態告知装置を備えることを特徴とする記録媒体状態告知装置を備えた電子機器。
【請求項１０】
記録媒体の状態を告知する記録媒体状態告知方法であって、
電源のオン／オフを監視し、前記電源がオフのとき、前記記録媒体の情報を取得し、前記記録媒体の情報に応じた情報告知の制御を行い、
前記記録媒体の情報の保存時間情報により、最後にバックアップをした日付が現在より何日前であったかを点滅の周期を変えて告知するように制御する
ことを特徴とする記録媒体状態告知方法。
【請求項１１】
前記記録媒体の装着の有無を監視し、前記記録媒体が装着されたことを検知すると、前記情報告知の制御を実行することを特徴とする請求項１０に記載の記録媒体状態告知方法。
【請求項１２】
前記記録媒体の装着の有無とフォーマットの有無とを点灯によって告知するように制御することを特徴とする請求項１１に記載の記録媒体状態告知方法。
【請求項１３】
前記記録媒体の容量が十分である場合に点灯によって告知し、前記記録媒体の容量が少ない場合に点滅によって告知するように制御することを特徴とする請求項１０〜１２のいずれかに記載の記録媒体状態告知方法。
【請求項１４】
前記記録媒体の残容量から記録可能な容量を点滅の周期を変えて告知するように制御することを特徴とする請求項１０〜１３のいずれかに記載の記録媒体状態告知方法。
【請求項１５】
前記記録可能な容量は、撮影可能な枚数に相当することを特徴とする請求項１４に記載の記録媒体状態告知方法。
【請求項１６】
前記情報告知は、発光ダイオードによって行われるものであり、
前記情報告知の制御は、前記発光ダイオードの発光色を含めて実行される
ことを特徴とする請求項１０〜１５のいずれかに記載の記録媒体状態告知方法。
【請求項１７】
前記記録媒体は、メモリカードであることを特徴とする請求項１０〜１６のいずれかに記載の記録媒体状態告知方法。
【発明の詳細な説明】
【技術分野】
【０００１】
本発明は、携帯電話、小型情報端末、デジタルカメラ、デジタル放送受信装置、プリンタ等の様々な電子機器において使用される、記録媒体である、たとえばメモリカードの状態を告知する記録媒体状態告知装置、記録媒体状態告知装置を備えた電子機器、記録媒体状態告知方法に関する。
【背景技術】
【０００２】
携帯電話、小型情報端末、デジタルカメラ、デジタル放送受信装置等の電子機器にあっては、たとえばメモリカードにより様々な情報を記録させることができるようになっている。
【０００３】
このようなメモリカードは、そのメモリ容量の飛躍的な増大化に伴い、静止画、音楽データに限らず、動画データの記録も可能であり、小型化の傾向とあいまって普及率の増加に結びつけられている。
【０００４】
また、メモリカードの普及率が増加することに伴い、価格そのものが下がり、一人のユーザが記録すべきコンテンツの区別を容易とするために、複数のメモリカードを所有、管理する傾向がこれからさらに加速するものと予測される。
【０００５】
ここで、メモリカードを用いて情報を記録する電子機器としてのたとえばデジタルカメラの基本構成を、図３により説明する。
【０００６】
図３において、１はデジタルカメラのマイコン（ＣＰＵ）、２はバッテリー、３は発光ダイオード等のインジケータ（ＬＥＤ）、４はカードスロット（メモリカード挿入口）、５はデジタルカメラのＲＡＭ，ＲＯＭ等の内部メモリ、６はＣＣＤコントローラ、７はＣＣＤカメラ、８は液晶ディスプレイ（ＬＣＤ）のＬＣＤコントローラ、９は液晶ディスプレイ（ＬＣＤ）、１０はデジタルカメラの電源スイッチ（ＳＷ）をそれぞれ示している。
【０００７】
また、１のマイコン（ＣＰＵ）の内部において、１１は電源スイッチ（ＳＷ）１０を監視する電源コントローラ、１２はカメラの基本機能であるユーザインタフェース（ＵＩ）を制御するメインコントローラ、１３はメモリカードのカードコントローラをそれぞれ示している。
【０００８】
通常、このようなデジタルカメラでは、電源スイッチ（ＳＷ）１０を入れることで、バッテリー２からの電力が各部位に供給されるとともに、マイコン（ＣＰＵ）１によりメモリカードの内容確認、ＣＣＤカメラ７による撮影機能の立ち上げ、液晶ディスプレイ（ＬＣＤ）８へのメニューや画像の表示が行われることで、画像やメモリ情報の閲覧を行うことができる。
【０００９】
また、インジケータ（ＬＥＤ）３は、通常、カードスロット４の近くに配置されており、このインジケータ（ＬＥＤ）３の点灯によってメモリカードの有無やその状態等を確認することができるようになっている。また、電源スイッチ（ＳＷ）１０が入った状態では、マイコン（ＣＰＵ）１の制御によりＲＡＭ，ＲＯＭ等の内部メモリ５の情報が取り扱われるが、揮発性のＲＡＭの内容の保存や、不揮発性のＲＯＭの内容のバックアップのためにメモリカードを用いることも可能である。
【００１０】
このようなデジタルカメラによる一連の動作を、図４より説明する。
まず、メモリカードを挿入してから（ステップＳ１）、電源スイッチ（ＳＷ）１０をオン（ステップＳ２）にすることにより、バッテリー２からの電力が各部位に供給されるとともに、カードコントローラ１３によりメモリカード内の情報が取得される（ステップＳ３）。
【００１１】
次いで、取得された情報を元に、メインコントローラ１２によりメモリカードの情報やデジタルカメラのメニューが液晶ディスプレイ（ＬＣＤ）９に表示される（ステップＳ４）。ここで、ユーザは、表示されたメニュー等を確認することにより、デジタルカメラの実行モードが撮影モードであるか、再生モードであるかを判別することができる（ステップＳ５）。
【００１２】
そして、撮影モードの場合は、メモリカードの空きメモリ容量の表示等が行われ、ＣＣＤコントローラ６による制御によりＣＣＤカメラ７が起動されて撮影可能状態にされる（ステップＳ６）。一方、再生モードの場合は、メモリカードに保存された画像データが内部メモリ５のＲＡＭに展開され、画像が液晶ディスプレイ（ＬＣＤ）９に表示される（ステップＳ９）。
【００１３】
ところで、メモリカードはその小型化が特徴であるがゆえに、カセットテープやＣＤといったメディアのようにそれ自体にインデックスシールを貼り付けたり、ケースにインデックスシールを貼り付けたりして個々を管理、区別するような適用には不向きである。なお、メモリカード自体には、その内部容量を表示するラベルがすでに貼られているのがほとんどであり、使用、未使用の区別はユーザの記憶に頼るところが大きいものとなっている。
【００１４】
一方、近年の上述したデジタルカメラ等の電子機器にあっては、液晶画面や発光ダイオード等のインジケータにより、メモリカードのフォーマットの有無、総容量、空き残容量等をメニュー選択によって表示させる手法があり、広く普及している。
【００１５】
このようなメモリカードの状態を告知するようにしたものとして、特許文献１では、残量監視部によってメモリカードの記録可能容量（残量）が監視され、たとえば５つのセグメントで構成されるモード／残量表示部にその残量に応じた表示が行われるようにしたディジタル電子カメラを提案している。
【特許文献１】特開平０８−３３１４９７号公報
【発明の開示】
【発明が解決しようとする課題】
【００１６】
ところで、上述した従来の電子機器であるデジタルカメラや特許文献１での電子機器であるディジタル電子カメラでは、メモリカードの状態を告知するに際し、そのメモリカードを使用する電子機器の電源を立ち上げ、たとえば図３のバッテリー２からの電力が各部位に供給されることによるシステムの起動した状態で行われようになっている。
【００１７】
このように、システムの起動した状態でメモリカードの状態が告知されるようにすると、電子機器がより多機能になって複雑化することに伴い、たとえばマイコン（ＣＰＵ）１によって読み込むべき制御プログラム等の増加により、システムによっては電源を立ち上げてからシステムが安定するまでに時間を要することになり、メモリカードの状態を知るのに手間や時間を要するものとなるという問題があった。
【００１８】
また、現在普及しているメモリカードの大半は完全な活線挿抜には対応しておらず、そのメモリカードを使用する電子機器への挿入、抜き取りの際には電源を落とす必要がある。これは、今後、ユーザが所有するメモリカードの枚数が増加することによって、さらなる手間と時間の損失を生むこととなり、操作性の向上の妨げとなるという問題が派生してしまうことになる。
【００１９】
本発明は、このような状況に鑑みてなされたものであり、上記問題点を解決することができる記録媒体状態告知装置、記録媒体状態告知装置を備えた電子機器、記録媒体状態告知方法を提供することを目的とする。
【課題を解決するための手段】
【００２０】
本発明の記録媒体状態告知装置は、記録媒体の状態を告知する記録媒体状態告知装置であって、前記記録媒体の情報に応じた情報告知を行う情報告知手段と、前記記録媒体の情報を取得し、この取得した情報に応じて前記情報告知手段による情報告知を制御する情報取得制御手段と、電源のオン／オフを監視し、前記電源がオフのとき、前記情報取得制御手段に対し、前記記録媒体の情報の取得と、前記情報告知手段に対する情報告知の制御を指示する電源監視手段とを備え、前記情報取得制御手段は、前記情報告知手段に対し、前記記録媒体の情報の保存時間情報により、最後にバックアップをした日付が現在より何日前であったかを点滅の周期を変えて告知するように制御することを特徴とする。
また、前記電源監視手段は、前記記録媒体の装着の有無を監視し、前記記録媒体が装着されたことを検知すると、前記情報取得手段に対しての指示を実行するようにしてもよい。
また、前記情報取得制御手段は、前記情報告知手段に対し、前記記録媒体の装着の有無とフォーマットの有無とを点灯によって告知するように制御するようにしてもよい。
また、前記情報取得制御手段は、前記情報告知手段に対し、前記記録媒体の容量が十分である場合に点灯によって告知するように制御し、前記記録媒体の容量が少ない場合に点滅によって告知するように制御するようにしてもよい。
また、前記情報取得制御手段は、前記情報告知手段に対し、前記記録媒体の残容量から記録可能な容量を点滅の周期を変えて告知するように制御するようにしてもよい。
また、前記記録可能な容量は、撮影可能な枚数に相当するようにしてもよい。
また、前記情報告知手段は、発光ダイオードであり、前記情報取得制御手段は、前記情報告知の制御を前記発光ダイオードの発光色を含めて実行するようにしてもよい。
また、前記記録媒体は、メモリカードであるようにしてもよい。
本発明の記録媒体状態告知装置を備えた電子機器は、請求項１〜８のいずれかに記載の記録媒体状態告知装置を備えることを特徴とする。
本発明の記録媒体状態告知方法は、記録媒体の状態を告知する記録媒体状態告知方法であって、電源のオン／オフを監視し、前記電源がオフのとき、前記記録媒体の情報を取得し、前記記録媒体の情報に応じた情報告知の制御を行い、前記記録媒体の情報の保存時間情報により、最後にバックアップをした日付が現在より何日前であったかを点滅の周期を変えて告知するように制御することを特徴とする。
また、前記記録媒体の装着の有無を監視し、前記記録媒体が装着されたことを検知すると、前記情報告知の制御を実行するようにしてもよい。
また、前記記録媒体の装着の有無とフォーマットの有無とを点灯によって告知するように制御するようにしてもよい。
また、前記記録媒体の容量が十分である場合に点灯によって告知し、前記記録媒体の容量が少ない場合に点滅によって告知するように制御するようにしてもよい。
また、前記記録媒体の残容量から記録可能な容量を点滅の周期を変えて告知するように制御するようにしてもよい。
また、前記記録可能な容量は、撮影可能な枚数に相当するようにしてもよい。
また、前記情報告知は、発光ダイオードによって行われるものであり、前記情報告知の制御は、前記発光ダイオードの発光色を含めて実行されるようにしてもよい。
また、前記記録媒体は、メモリカードであるようにしてもよい。
【発明の効果】
【００２１】
本発明の記録媒体状態告知装置、記録媒体状態告知装置を備えた電子機器、記録媒体状態告知方法によれば、電源を立ち上げずに記録媒体の状態を告知することができ、電源を立ち上げてからシステムが安定するまでの時間が不要となり、記録媒体の状態を知るのに手間や時間を削減することができることから、操作性の大幅な向上を図ることができる。
【発明を実施するための最良の形態】
【００２２】
本実施形態では、電源のオン／オフを監視する電源監視手段により電源のオフが検知されている状態で、その電源監視手段により情報取得制御手段に対し、記録媒体の情報の取得と、情報告知手段に対する情報告知の制御とが指示され、電源を立ち上げずに記録媒体の状態を告知することができるようにし、電源を立ち上げてからシステムが安定するまでの時間を不要とすることで、記録媒体の状態を知るのに手間や時間を削減し、操作性の大幅な向上を図ることができるようにした。
【実施例】
【００２３】
図１は、本発明の記録媒体状態告知装置をデジタルカメラに適用した場合の一実施形態を示すブロック図、図２は、図１の記録媒体状態告知装置による記録媒体状態告知方法を説明するためのフローチャートである。なお、以下に説明する図において、図３と共通する部分には同一符号を付し重複する説明は適宜行うものとする。
【００２４】
図１において、符号２１はカードスロット（メモリカード挿入口）４に挿入される記録媒体としてのメモリカードを示している。また、符号１１ａはマイコン（ＣＰＵ）１の内部に設けられている電源監視手段としての電源コントローラ、符号１３ａはマイコン（ＣＰＵ）１の内部に設けられている情報取得制御手段としてのカードコントローラをそれぞれ示している。
【００２５】
電源コントローラ１１ａは、電源スイッチ（ＳＷ）１０の監視とカードスロット（メモリカード挿入口）４の状態の監視とを行い、電源がオフの状態でメモリカード２１の装着を検知すると、カードコントローラ１３ａに対しメモリカード２１の情報の取得と、発光ダイオード等のインジケータ（ＬＥＤ）３に対する点灯、点滅等による情報告知の制御とを指示するが、その詳細は後述する。
【００２６】
カードコントローラ１３ａは、電源スイッチ（ＳＷ）１０がオフの場合でも、電源コントローラ１１ａによってメモリカード２１がカードスロット（メモリカード挿入口）４に挿入されたことが検知されると、電源コントローラ１１ａの制御によって起動され、メモリカード２１内の情報を取得する。
【００２７】
また、電源スイッチ（ＳＷ）１０がオフの場合、カードコントローラ１３ａは、メモリカード２１内の情報を取得すると、発光ダイオード等のインジケータ（ＬＥＤ）３に対し、その情報に応じた点灯、点滅等を行わせる。その他の構成は、図３に示したものと同じである。
【００２８】
なお、発光ダイオード等のインジケータ（ＬＥＤ）３による情報告知は、点灯、点滅に加え、点滅周期、点滅回数のいずれか又はいずれかの組み合わせで行うことができる。さらには、発光ダイオード等のインジケータ（ＬＥＤ）３による発光色を加えることで、情報告知のバリエーション増やすことができる。
【００２９】
また、メモリカード２１内の情報に応じたインジケータ（ＬＥＤ）３による情報告知の内容にあっては、メモリカード２１の挿入の有無、フォーマットの有無、容量、残容量等とすることができる。
【００３０】
すなわち、メモリカード２１の挿入がある場合や、フォーマットが必要な場合にはたとえばインジケータ（ＬＥＤ）３を点灯させるようにすればよい。この場合、インジケータ（ＬＥＤ）３の発光色をたとえば赤とすることで、ユーザによる確認が容易となる。
【００３１】
また、メモリカード２１の容量が十分である場合は、たとえばインジケータ（ＬＥＤ）３を点灯させ、その容量が少ない場合はたとえばインジケータ（ＬＥＤ）３を点滅させるようにすればよい。また、容量が十分である場合は、発光色をたとえば赤以外とし、容量が少ない場合は発光色を赤として点滅させることで、上記同様に、ユーザによる確認が容易となる。
【００３２】
また、メモリカード２１の残容量から撮影可能な枚数をインジケータ（ＬＥＤ）３の点滅の周期により、ユーザに告知することも可能である。この場合、たとえば１秒点灯＝１００の桁、０．５秒＝１０の桁、０．２秒＝１の桁、というように、インジケータ（ＬＥＤ）３の点滅の周期を調整するようにすればよい。また、上記同様に、いずれかの発光色で点滅させてもよい。
【００３３】
また、メモリカード２１内のファイルの保存時間情報により前回最後にバックアップをした日付が現在より何日前であったかをインジケータ（ＬＥＤ）３の点滅の周期により、ユーザに告知することも可能である。この場合、たとえば１秒点灯＝年、０．５秒＝月、０．２秒＝日、というように、インジケータ（ＬＥＤ）３の点滅の周期を調整するようにすればよい。また、上記同様に、いずれかの発光色で点滅させてもよい。
【００３４】
次に、記録媒体状態告知方法について説明する。
まず、図２に示すように、メモリカード２１をカードスロット（メモリカード挿入口）４に挿入する（ステップＳ１０）。このとき、電源コントローラ１１ａにより電源スイッチ（ＳＷ）１０のオンが検知された場合（ステップＳ１１）、バッテリー２からの電力が各部位に供給されるとともに、カードコントローラ１３ａによりメモリカード２１内の情報が取得される。
【００３５】
次いで、取得された情報を元に、メインコントローラ１２によりメモリカード２１の情報やデジタルカメラのメニューが液晶ディスプレイ（ＬＣＤ）８に表示される（ステップＳ１２）。ここで、ユーザは、表示されたメニュー等を確認することにより、デジタルカメラの実行モードが撮影モードであるか、再生モードであるかを判別することができる（ステップＳ１３）。
【００３６】
そして、撮影モードの場合は、メモリカード２１の空きメモリ容量の表示等が行われ、ＣＣＤコントローラ６による制御によりＣＣＤカメラ７が起動されて撮影可能状態にされる（ステップＳ１４）。一方、再生モードの場合は、メモリカード２１に保存された画像データが内部メモリ５のＲＡＭに展開され、画像が液晶ディスプレイ（ＬＣＤ）９に表示される（ステップＳ１５）。
【００３７】
これに対し、（ステップＳ１１）において、電源コントローラ１１ａにより電源スイッチ（ＳＷ）１０が検知されている状態で、メモリカード２１がカードスロット（メモリカード挿入口）４に挿入されたことが検知されると、電源コントローラ１１ａによりカードコントローラ１３ａが起動され、メモリカード２１内の情報が取得される（ステップＳ１６）。
【００３８】
そして、カードコントローラ１３ａにより、メモリカード２１内の情報が取得されると、インジケータ（ＬＥＤ）３がその情報に応じて点灯、又は点滅等により上述した情報告知を行う(ステップ１７)。この状態は、電源スイッチ（ＳＷ）１０がオンされるまでの待機の間で継続される（ステップＳ１８）。なお、インジケータ（ＬＥＤ）３による情報告知は、予め設定された時間で行われるようにしてもよい。
【００３９】
ここで、メモリカード２１内の情報に応じたインジケータ（ＬＥＤ）３の情報告知にあっては、上述したように、メモリカード２１の挿入の有無、フォーマットの有無、容量、残容量等に合わせてインジケータ（ＬＥＤ）３が点灯や点滅を行うことになる。
【００４０】
すなわち、メモリカード２１の挿入がある場合やメモリカード２１の容量が十分である場合はインジケータ（ＬＥＤ）３がたとえば点灯し、フォーマットが必要な場合やその容量が少ない場合はインジケータ（ＬＥＤ）３がたとえば点滅することで、ユーザへの告知が可能となる。
【００４１】
また、メモリカード２１の残容量から撮影可能な枚数を、上述したインジケータ（ＬＥＤ）３のたとえば１秒点灯＝１００の桁、０．５秒＝１０の桁、０．２秒＝１の桁、というような点滅の周期により、ユーザに告知することも可能である。
【００４２】
また、メモリカード２１内のファイルの保存時間情報により前回最後にバックアップをした日付が現在より何日前であったかを、上述したインジケータ（ＬＥＤ）３のたとえば１秒点灯＝年、０．５秒＝月、０．２秒＝日、というような点滅により、ユーザに告知することも可能である。
【００４３】
さらに、上述した各種の情報告知にあっては、インジケータ（ＬＥＤ）３の発光色を加味することで、情報告知の内容の種別等も併せてユーザへ知らせることが可能となる。
【００４４】
なお、このようなメモリカード２１内のそれぞれの情報に応じたインジケータ（ＬＥＤ）３の点灯や点滅等による情報告知の順序にあっては、予め設定されている制御プログラムに基づきカードコントローラ１３ａによってコントロールされるようにしてもよいし、液晶ディスプレイ（ＬＣＤ）９に表示されるメニューからインジケータ（ＬＥＤ）３の点灯や点滅等の順序をユーザの指示に基づいて設定するようにしてもよい。さらには、液晶ディスプレイ（ＬＣＤ）９に表示されるメニューから必要な情報のみが告知されるように選択できるようにしてもよい。
【００４５】
これにより、ユーザは、そのインジケータ（ＬＥＤ）３の点灯、又は点滅等により、メモリカード２１の状態を電源スイッチ（ＳＷ）１０をオンすることなく確認することができる。
【００４６】
一方、別のメモリカード２１に差し換えられた場合は、再度メモリカード２１の情報が上記同様に取得されて更新され、電源スイッチ（ＳＷ）１０がオフの場合は上述した（ステップＳ１６）〜（ステップＳ１８）の手順が実行され、電源スイッチ（ＳＷ）１０がオンの場合は上述した（ステップＳ１２）〜（ステップＳ１５）の手順が実行される。
【００４７】
このように、本実施形態では、電源のオン／オフを監視する電源コントローラ１１ａにより電源のオフが検知されている状態で、その電源コントローラ１１ａによりカードコントローラ１３ａに対し、メモリカード２１の情報の取得と、発光ダイオード等のインジケータ（ＬＥＤ）３に対する情報告知の制御とが指示され、電源を立ち上げずにメモリカード２１の状態が告知されるようにしたので、電源を立ち上げてからシステムが安定するまでの時間が不要となり、メモリカード２１の状態を知るのに手間や時間が削減され、操作性の大幅な向上を図ることができる。
【００４８】
また、電源を立ち上げずにメモリカード２１の状態が告知されることで、今後、ユーザが所有するメモリカードの枚数が増加することに伴い、メモリカード２１の差し替えが頻繁に行われるような状況であっても上記同様に、メモリカード２１の状態を知るのに手間や時間が削減されるため、非常に使い勝手の良いものとなる。
【００４９】
また、電源を立ち上げずにメモリカード２１の状態が告知されることで、バッテリー２の消費電力を大幅に抑制することも可能となる。
【００５０】
なお、本実施形態では、記録媒体としてメモリカード２１を例示した場合について説明したが、メモリカード２１に限らず、光ディスク等の他の記録媒体であってもよい。
【産業上の利用可能性】
【００５１】
デジタルカメラに限らず、携帯電話、小型情報端末、デジタル放送受信装置、プリンタ等の様々な電子機器においても適用可能である。
【図面の簡単な説明】
【００５２】
【図１】本発明の記録媒体状態告知装置をデジタルカメラに適用した場合の一実施形態を示すブロック図である。
【図２】図１の記録媒体状態告知装置による記録媒体状態告知方法を説明するためのフローチャートである。
【図３】従来のデジタルカメラの一例を示すブロック図である。
【図４】図３のデジタルカメラによる一連の動作を説明するためのフローチャートである。
【符号の説明】
【００５３】
１      マイコン（ＣＰＵ）
２      バッテリー
３      インジケータ（ＬＥＤ）
４      カードスロット（メモリカード挿入口）
５      内部メモリ（ＲＡＭ，ＲＯＭ）
６      ＣＣＤコントローラ
７      ＣＣＤカメラ
８      ＬＣＤコントローラ
９      液晶ディスプレイ（ＬＣＤ）
１０    電源スイッチ（ＳＷ）
１１    電源コントローラ
１１ａ  電源コントローラ（電源監視手段）
１２    メインコントローラ
１３    カードコントローラ
１３ａ  カードコントローラ（情報取得制御手段）
２１    メモリカード（記録媒体） 
【図１】
0004404810.tif 000002
【図２】
0004404810.tif 000003
【図３】
0004404810.tif 000004
【図４】
0004404810.tif 000005